(57)【要約】【課題】  板体に対する固定作業の簡素化を図ることができるアンカーボルトの提供。【解決手段】  上端側にネジ部２が設けられているアンカーボルト１において、ネジ部２の下端部に、そのネジ部２よりも大径となる状態で突起部３が一体形成されている。【選択図】        図１
2006097260.tif 000002
【特許請求の範囲】
【請求項１】
上端側にネジ部が設けられているアンカーボルトであって、
前記ネジ部の下端部に、そのネジ部よりも大径となる状態で突起部が一体形成されているアンカーボルト。
【請求項２】
前記突起部が、鍛造により一体形成されている請求項１に記載のアンカーボルト。
【請求項３】
請求項１または２に記載のアンカーボルトにて構造体を支持する支持体であって、
前記アンカーボルトが、前記突起部と前記ネジ部に螺合される固定用ナットとの間に板体を挟み込みその板体よりも上方側に前記ネジ部を突出させる状態で前記板体に固定され、
前記板体の上面の高さまで硬化流体が充填されている支持体。
【発明の詳細な説明】
【技術分野】
【０００１】
本発明は、上端側にネジ部が設けられているアンカーボルト、および、そのアンカーボルトにて構造体を支持する支持体に関する。
【背景技術】
【０００２】
上記のようなアンカーボルトは、物品収納棚などの構造体を基礎床部上に設置するために用いられるものであり、基礎床部上に構造体を支持する支持体を形成する基礎工事において、ネジ部を上方側に突出させる状態で支持体に組み付けて用いるようにしている。
そして、例えば、構造体として物品収納棚を設置する際の基礎工事においては、一つの支持体に複数のアンカーボルトを組み付ける形態で複数の支持体を形成し、それら複数の支持体の夫々に対して、その上面に物品収納棚の支柱を固定させて、物品収納棚を設置するようにしている。
【０００３】
このようなアンカーボルトとして、従来、上端側にネジ部を設けて、上端部から下端部まで同じ径となるように形成されているものがあり、従来の支持体では、上下二つの固定用ナットの間に板体を挟み込むことにより、アンカーボルトを、板体よりも上方側にネジ部を突出させる状態で板体に固定し、その板体の上面の高さまで硬化流体が充填されている（例えば、特許文献１参照。）。
そして、複数のアンカーボルトを板体に固定することにより、アンカーボルトどうしの間隔を一定とし、かつ、アンカーボルトの上方側への突出量を一定として、複数のアンカーボルトが固定された板体の上面を、硬化流体を充填させる高さの基準としている。
【０００４】
【特許文献１】特開２００３−５５９８７号公報
【発明の開示】
【発明が解決しようとする課題】
【０００５】
上記従来のアンカーボルトは、単に、上端側にネジ部が設けられているだけであり、基礎工事において、上下二つの固定用ナットの間に板体を挟み込むことにより、アンカーボルトを板体に固定しているので、二つの固定用ナットをネジ部に螺合させなければならず、アンカーボルトを板体に固定する固定作業が手間のかかるものとなっている。
【０００６】
そして、例えば、物品収納棚を設置する際の基礎工事においては、複数の支持体の夫々において複数のアンカーボルトを板体に固定する固定作業を行い、その固定作業を多数回繰り返し行うことになるので、一回の固定作業に手間がかかると、基礎工事の作業時間が長時間になる。
【０００７】
本発明は、かかる点に着目してなされたものであり、その目的は、板体に対する固定作業の簡素化を図ることができるアンカーボルト、および、基礎工事の作業時間を短縮できる支持体を提供する点にある。
【課題を解決するための手段】
【０００８】
この目的を達成するために、本発明にかかるアンカーボルトの第１特徴構成は、上端側にネジ部が設けられているアンカーボルトにおいて、
前記ネジ部の下端部に、そのネジ部よりも大径となる状態で突起部が一体形成されている点にある。
【０００９】
すなわち、アンカーボルトに一体形成される突起部を、固定用ナットの代わりとして用いることができるので、アンカーボルトを板体に固定する際には、一つの固定用ナットを用いて突起部と固定用ナットとの間に板体を挟み込むようにして、アンカーボルトを板体に固定させることができることになる。
したがって、単に、一つの固定用ナットをネジ部に螺合させるだけで、アンカーボルトを板体に固定させることができるので、板体に対する固定作業の簡素化を図ることができるアンカーボルトを提供できるに至った。
【００１０】
本発明にかかるアンカーボルトの第２特徴構成は、前記突起部が、鍛造により一体形成されている点にある。
すなわち、鍛造にて突起部をアンカーボルトに一体形成することにより、アンカーボルトの強度を強くでき、例えば、溶接により突起部をアンカーボルトに一体形成するものと比べて、アンカーボルトを形成する作業を行ったのち、突起部を溶接する作業を行わなくてよい分だけ、突起部を形成する作業の簡素化を図ることができる。
【００１１】
本発明にかかるアンカーボルトを用いた支持体の特徴構成は、上記第１または第２特徴構成に記載のアンカーボルトにて構造体を支持する支持体において、
前記アンカーボルトが、前記突起部と前記ネジ部に螺合される固定用ナットとの間に板体を挟み込みその板体よりも上方側に前記ネジ部を突出させる状態で前記板体に固定され、前記板体の上面の高さまで硬化流体が充填されている点にある。
【００１２】
すなわち、アンカーボルトを板体に固定する固定作業を繰り返し行い、複数のアンカーボルトを板体に固定させたのち、板体の上面の高さまでコンクリートを充填させる作業を行うことにより、支持体を形成するので、上記第１特徴構成で述べた如く、アンカーボルトを板体に固定する固定作業の簡素化を図ることにより、一つの支持体を形成する作業時間の短縮化を図ることができることになる。
そして、例えば、このような支持体にて物品収納体を支持する際の基礎工事では、複数の支持体を形成することになるので、支持体の一つを形成する作業時間の短縮化を図ることにより、基礎工事全体でみると、多大な作業時間の短縮化を図ることができることとなって、基礎工事の作業時間を短縮できる支持体を提供できるに至った。
【発明を実施するための最良の形態】
【００１３】
本発明にかかるアンカーボルトおよびそのアンカーボルトを用いた支持体の実施形態について図面に基づいて説明する。
このアンカーボルト１は、図１に示すように、上方側にネジ部２が設けられ、そのネジ部２の下端部には、ネジ部２よりも大径となる状態で突起部３が一体形成されている。
前記突起部３については、例えば、ネジ部２に螺合される固定用ナット４と同じまたはほぼ同じ径になるように、鍛造により一体形成されている。
【００１４】
そして、このアンカーボルト１を用いた支持体５は、図２および図３に示すように、アンカーボルト１が、突起部３とネジ部２に螺合される固定用ナット４との間に板体としてのゲージプレート６を挟み込みそのゲージプレート６よりも上方側にネジ部２を突出させる状態でケージプレート６に固定され、ゲージプレート６の上面の高さまで硬化流体としてのコンクリート７が充填されている。
【００１５】
上記支持体５を形成する構成について説明すると、縦断面図である図２の（ロ）に示すように、まず、基礎床部Ｋから起立する状態で束体８を立設し、複数の束体８にて矩形状のゲージプレート６が水平姿勢となるように支持するように構成されている。
そして、平面図である図２の（イ）に示すように、四本のアンカーボルト１をケージプレート６の四隅部分の夫々に固定するように構成されている。
【００１６】
まず、ゲージプレート６に形成された孔部６ａにアンカーボルト１のネジ部２を貫通させ、突起部３をゲージプレート６に当て付け、ゲージプレート６よりも上方側に突出するネジ部２に固定用ナット４を螺合させる。
そして、突起部３と固定用ナット４との間にゲージプレート６を挟み込んだ状態で固定用ナット４を締め込むことにより、アンカーボルト１をゲージプレート６に固定させるように構成されている。
このようにして、アンカーボルト１をケージプレート６に固定する固定作業を四回繰り返し、四本のアンカーボルト１をケージプレート６の四隅部分の夫々に固定するように構成されている。
【００１７】
そして、四本のアンカーボルト１をゲージプレート６に固定することにより、アンカーボルト１どうしの間隔を一定とし、かつ、アンカーボルト１の上方側への突出量を一定としている。
その後、複数のアンカーボルト１が固定されたゲージプレート６の上面を、コンクリート７などの硬化流体を充填させる高さの基準として、図３に示すように、ゲージプレート６の上面までコンクリート７を充填して養生するように構成されている。
【００１８】
そして、このような支持体５にて物品収納棚などの構造体を支持するときには、間隔を隔てる状態で複数の支持体５を形成することになり、複数の支持体５の夫々において、アンカーボルト１をゲージプレート６に固定する固定作業を繰り返し行ったのち、コンクリート７を充填させる作業を行うように構成されている。
【００１９】
このようにして形成された複数の支持体５の夫々に対して、物品収納棚の支柱９を固定するときには、図４に示すように、まず、ネジ部２に螺合されている固定用ナット４を取り外し、支柱９のベースプレート１０の孔部１０ａに上方側に突出するネジ部２を貫通させて支柱９を設置するように構成されている。
そして、取り外した固定用ナット４をネジ部２に螺合させて、固定用ナット４と支持体５の上面との間にベースプレート１０を挟み込んだ状態で固定用ナット４を締め込み、図５に示すように、支柱９を支持体５上に固定させるように構成されている。
【００２０】
〔別実施形態〕
（１）上記実施形態では、突起部３を鍛造によりアンカーボルト１に一体形成するようにしているが、例えば、突起部３を溶接によりアンカーボルト１に一体形成することも可能であり、一体形成するための構成については適宜変更が可能である。
【００２１】
（２）上記実施形態では、支持体にて支持する構造体として、物品収納棚を例示したが、物品収納棚に限らず、その他の構造体を適応することも可能である。
【図面の簡単な説明】
【００２２】
【図１】アンカーボルトの縦断面図
【図２】支持体の平面図および縦断面図
【図３】支持体の縦断面図
【図４】支持体の縦断面図
【図５】支持体の縦断面図
【符号の説明】
【００２３】
１          アンカーボルト
２          ネジ部
３          突起部
４          固定用ナット
５          支持体
６          板体
７          硬化流体
【図１】
2006097260.tif 000003
【図２】
2006097260.tif 000004
【図３】
2006097260.tif 000005
【図４】
2006097260.tif 000006
【図５】
2006097260.tif 000007